(57)【特許請求の範囲】
【請求項１】
放熱面と放熱面に沿って熱媒体を流す流路を有する熱交換パネルがベランダの天井の下に間隔を空けて水平に取り付けてあり、圧縮機が熱交換パネルとベランダの天井の間の空間に熱交換パネルから分離独立して設置してあり、熱交換パネルと圧縮機の間を結ぶ熱媒体用の連結管が設けてある空調設備の圧縮機が隠蔽してあるベランダ構造。
【請求項２】
請求項１において、熱交換パネルがベランダの異なる位置であるベランダの側壁、手摺、もしくは、床面のいずれか、または組合わせて設置してあるベランダ構造。
【請求項３】
請求項１または２のいずれかにおいて、熱交換パネルが放熱面を表裏両面に有するとともに、裏側の放熱面に沿って送風するファンが設けてある空調設備を設けたベランダ構造。
【発明の詳細な説明】
【技術分野】
【０００１】
本発明は、マンション等の集合住宅における空調設備を設けたべランダ構造に関する。
【背景技術】
【０００２】
従来、マンション等の集合住宅において、各戸毎に設置されている空調設備は、一般に、図５に示すように空調室外機Ａ１をベランダやバルコニーまたは廊下等に設置している。
【０００３】
空調室外機Ａ１は、箱状のケーシングＡ２を有し、このケーシングＡ２の中に、圧縮機Ａ３や熱交換パネルＡ４、及び熱交換パネルＡ４における外気との熱交換を促進するためのファンＡ５等が収容されている。
【０００４】
しかしながら、超高層のマンションでは、ベランダやバルコニーをあまり広くすることができない。また、一般のマンションにおいても、ベランダや廊下に室外機を設置すると利用可能なスペースが狭くなり、外観上も好ましいものではなかった。ベランダに設置した室外機を隠蔽する部材を設けたり、収納空間を設けると、ベランダの利用可能スペースが更に小さくなってしまう。
【０００５】
特に、ベランダやバルコニーに、図５のように空調室外機Ａ１を上下に２台積重ねて設置している場合は、上部空間も制限されてスペースが狭くなるばかりでなく、室内からの眺望も悪化させてしまうことがあった。
【０００６】
そこで、これらの問題を回避するために、例えば、特許文献１（特開平５−２９６４９９号公報）や、特許文献２（特開２００６−３８４０３号公報）では、室外機を共用廊下側のメーターボックス内に配置することが提案されている。
また、特許文献３（特開２００７−３２８８４号公報）においては、放熱板から発生した熱を、壁と放熱板または２枚の放熱板の間を煙突効果によって空気を自然に上昇させて放熱するようにして熱交換をおこない、大型ファンを不要とした空調システムが提案されている。
【先行技術文献】
【特許文献】
【０００７】
【特許文献１】特開平５−２９６４９９号公報
【特許文献２】特開２００６−３８４０３号公報
【特許文献３】特開２００７−３２８８４号公報
【発明の概要】
【発明が解決しようとする課題】
【０００８】
しかしながら、特許文献１、及び特許文献２に開示された室外機をメーターボックス内に収納する手法は、空調設備からの排熱によってメーターボックス内の温度が上昇する。更に、閉じた空間であるため空気の流通が悪いので室外機の放熱効率が低下する問題があった。
【０００９】
また、特許文献３の空調システムにおいては、板状の室外機を壁に貼り付ける形態として、屋内の空調機、壁、室外機をサンドイッチ状に重なる設置をおこなうことで内部を熱媒体が通過するパイプを不要とする構造としているため、設置場所が制約され、放熱板の放熱面積を広く確保することが構造上困難であった。
【００１０】
そこで、本発明は、前述の従来技術における問題を解消し、べランダやバルコニーの景観を損なうことなく利用可能なスペースを広く確保することができるバルコニー構造を提供するものである。
【課題を解決するための手段】
【００１１】
熱交換パネルがベランダの天井の下に間隔を空けて水平に取り付けてあり、圧縮機が熱交換パネルとベランダの天井の間の空間に設置してあり、熱交換パネルと圧縮機の間を結ぶ熱媒体用の連結管が設けてあるベランダ構造であり、空調設備の圧縮機が視界から隠蔽してあるベランダ構造である。
更に、熱交換パネルは、ベランダの側壁、手摺、もしくは、床面のいずれか、または組合わせて設置して熱交換効率を向上させたベランダ構造である。
【発明の効果】
【００１２】
熱交換パネルをベランダ上部に水平に設置してあり、圧縮機を熱交換パネルから独立させて熱交換パネルとベランダの天井との間の空間に設置しているため、従来の空調室外機のように、ベランダやバルコニーを室外機が占有してしまうことがなく、利用可能なスペースを広く確保でき、また、室外機の設置によって眺望が損なわれることがない。
【００１３】
熱交換パネルの面積を大きくしたり、また、壁面や床面、手摺等に分散して設置することで、ファンを設けることなく自然対流だけで熱交換を可能とし、ファンの回転音よる騒音を低減、またはなくすことができる。
【００１４】
更に、熱交換パネルの表裏両面を放熱面とし、且つ、裏側の放熱面を外部から隠蔽された空間に配置したファンによって冷却する構造としたことにより、熱交換パネルの裏側も放熱面として有効に利用することができ、コンパクトな構造とすることができる。
【００１５】
隠蔽された空間に配置される熱交換パネルの裏側の放熱面に外部の空気を供給して効果的に冷却できるようにファンを用いているため、ベランダやバルコニーの景観を損なうことがなく、運転騒音も低減することができる。
【図面の簡単な説明】
【００１６】
【図１】本発明の実施例のベランダ構造の側面図。
【図２】空調室外機の熱交換パネルの実施例の詳細構造図。
【図３】空調室外機の熱交換パネルの他の実施例の詳細構造図。
【図４】空調室外機の床用の熱交換パネルの部分構造図。
【図５】従来の空調設備を設置したベランダを室内側から見た透視図。
【発明を実施するための形態】
【００１７】
以下、本発明を図面の実施例に基づいて説明する。
図１は、本発明のベランダ構造の側面図であり、熱交換パネル２がベランダの天井Ｃに間隔をあけて水平に設置してあり、空間Ｒが天井Ｃと熱交換パネル２の間に形成され、この空間Ｒに圧縮機３が設置され、熱交換パネル２によって隠蔽されている。熱交換パネル２の一端側にはファン１１が付設され、吹き出し口１１Ａからの空気流によって熱交換パネル２を冷却する。ファン１１は、クロスフローファンが好ましい。
図２に示すように、熱交換パネル２は、下側の放熱板５と同一構造の放熱板６を上側にも有しており、放熱板５、６には放熱面として機能する多数のフィン４が設けてある。
【００１８】
ファン１１は、外部の空気を吸い込んで、熱交換パネル２の上側の放熱板６の長手方向の一端側から他端側へ向けて流し、他端側から外部へ排気することにより上側の放熱板６の強制冷却をおこなう。一方、熱交換パネル２の下側の放熱板５は、外気によって自然冷却されるようにしている。
【００１９】
更に、ベランダの異なる位置の側壁面Ｗ、手摺Ｈ、または床面Ｆ１にに熱交換パネル１２、１３、１４がそれぞれ設置してある。熱交換パネル１２は、側壁面Ｗの手前にこれと平行に配置され、その上端部と天井Ｃ、下端部と床面Ｆの隙間には必要に応じて防塵フィルタ（図示しない）が着脱自在に装着されており、これらの隙間から熱交換パネル１２と側壁面Ｗとの間に形成されている空間に塵埃が侵入しないようにしてある。
側壁面Ｗに設置する熱交換パネル１２は、図３に示す表側のみに放熱板５を有するものでもよい。
【００２０】
熱交換パネル１３は、ベランダの手摺Ｈに取り付けられており、内部に熱媒体を通す流路が形成された放熱板１８であり、表裏両面が大気に接して放熱面としてある。放熱板１８は、手摺に取り付けるために薄くしてあり、ステンレス板材のプレス成形により製作されていて、風雨に耐える強度や耐食性を有するものである。また、表面には筋目状の凹凸パターンを形成することでデザイン性を高めると共に放熱効率を高めている。
【００２１】
熱交換パネル１４は、複数の細長い矩形状の放熱床ユニット２１から構成されていて、これらの放熱床ユニット２１がベランダの床面Ｆ１に敷き詰められている。図４に示すように、放熱床ユニット２１は、ベランダの床面に設置することから、その材質は、軽量で且つ伝熱性に優れていることに加え、強度と耐食性も要求されるため、アルミニウム材で製作されており、必要に応じて補強材が下面側に設けてある。
【００２２】
同図に示すように放熱床ユニット２１の上面には、多数の球面状の突起２２が形成されており、これらの突起２２は滑り止めと、放熱面積の増加のために設けたものである。放熱床ユニット２１の下面側には、リブ２３ａ、２３ｂが、幅方向の左右両側と中央の３箇所に長手方向に連続して形成されており、幅方向に隣合う２つのリブ２３ａ、２３ｂと、床面Ｆ１と間でそれぞれ導風路２４が形成されている。
【００２３】
それぞれの導風路２４内には、熱媒体を通す複数の流路２５がリブ２３ａ、２３ｂと並行して放熱床ユニット２１の下面に溶接等で固定してある。これらの流路２５は、その上流側は圧縮機３の出口側に管路を介して連結されており、また、これらの流路２５の下流側は管路を介して室内機に連結されている。
【００２４】
床面Ｆ１の室内側の端部には、溝Ｐが形成され、この溝Ｐの内部には、ファン２６が収容されており、ファン２６が外部の空気を吸い込んでそれぞれの放熱床ユニット２１と床面Ｆ１との間に形成されている前記導風路２４の一端側から他端側に向かう空気流を発生させ、流路２５を通過する熱媒体を冷却する。
【００２５】
各導風路２４を通過して温められた空気は、それぞれの導風路の他端から外部に排出される。建物躯体の窓サッシＳ側と手摺Ｈ側でそれぞれベランダの床面Ｆ１より高くした段部Ｔ１、Ｔ２と、各放熱床ユニット２１の長手方向両端部間にはそれぞれ隙間が設けられている。
【００２６】
これらの隙間にはそれぞれ、各放熱床ユニット２１の下方へ塵埃の侵入を防止するためのフィルタが着脱可能に装着されていて、ファン２６による外部の空気の導入と各導風路２４から外部への空気の排気は、これらのフィルタを通しておこなわれるようになっている。なお、ファン２６を収容している溝Ｐには、排水口（図示しない）に向けて勾配を設けてあり、外部から浸入した雨水が留まらないようにしてある。
【００２７】
熱交換パネルの放熱板や放熱床ユニットのサイズ、形状、素材、設置位置等は、設置するベランダやバルコニーの形状や構造、広さ等に適合するように、条件に応じて様々に変更することが可能である。更に、放熱板や放熱床ユニットは、陽極酸化処理等の表面処理により様々に着色することにより、耐候性とともに意匠性を高めることができる。
【００２８】
複数の熱交換パネルを用いる場合には、それぞれの熱交換パネルに対して個別に圧縮機を用いるようにしてもよく、また、各部屋の室内機のそれぞれに対して個別に熱交換パネルや圧縮機を対応させるようにしてもよい。
【００２９】
以上に説明した本発明のベランダ構造は、集合住宅の廊下側にも適用できるものであり、空調設備の圧縮機と熱交換パネルを分離独立させて適宜レイアウトすることによって廊下に設置されて障害物となる空調室外機をなくし、すっきりした廊下とすることが可能である。
【符号の説明】
【００３０】
１                              室外機
２                              熱交換パネル
３                              圧縮機
４                              フィン
５、６                          放熱板
７                              管路
１１                            ファン
１１Ａ                          吹出口
１２、１３、１４                熱交換パネル
１７、１８                      放熱板  
２１                            放熱床ユニット
２２                            突起
２３ａ、２３ｂ                  リブ
２４                            導風路
２５                            流路
２６                            ファン
【図１】
0005479404.tif 000002
【図２】
0005479404.tif 000003
【図３】
0005479404.tif 000004
【図４】
0005479404.tif 000005
【図５】
0005479404.tif 000006